(57)【要約】【課題】安全性と信頼性を充分に高めることのできる有効な水幕防火設備を実現する。【解決手段】ドレンチャーヘッドから水が幕状に放出されることで形成される水幕による水幕防火設備であって、ドレンチャーヘッド２を間隔をおいて二列をなすように配置して、火災時にはそれら二列のドレンチャーヘッドにより二重の水幕３Ａ，３Ｂを形成し、それら二重の水幕の間に緩衝空間４を確保するとともに、その緩衝空間の床面にドレンチャーヘッドからの放出水を集水して貯留する集水部５を設ける。【選択図】      図１
2004305380.tif 000002
【特許請求の範囲】
【請求項１】
ドレンチャーヘッドから水が幕状に放出されることで形成される水幕による水幕防火設備であって、ドレンチャーヘッドを間隔をおいて二列をなすように配置し、火災時にはそれら二列のドレンチャーヘッドにより二重の水幕を形成してそれら二重の水幕の間に緩衝空間を確保するとともに、その緩衝空間の床面にドレンチャーヘッドからの放出水を集水して貯留する集水部を設けたことを特徴とする水幕防火設備。
【発明の詳細な説明】
【０００１】
【発明の属する技術分野】
本発明は建物における防火設備に係わり、特にドレンチャーヘッドにより形成される水幕による水幕防火設備に関する。
【０００２】
【従来の技術】
建物内に設ける延焼防止用の防火区画は防火シャッターにより形成されることが一般的であるが、近年、ドレンチャー設備による水幕（ウォーターカーテン）により防火区画を形成するという水幕防火設備が提案され、優れた遮炎効果が期待できることはもとより、防火シャッターによる場合に比較すれば障害物による閉鎖障害が生じないし、避難や消火活動に支障を来すこともないので、極めて有効と考えられ、今後広く普及する気運にある。
【０００３】
その一例として、たとえば特許文献１には、防火区画を形成するべき位置の天井面にドレンチャーヘッドを配列し、それらドレンチャーヘッドからの散水によって二重の水幕を形成することで、特定防火設備としての性能を有するとされるドレンチャー設備が提案されている。
【０００４】
【特許文献１】
特開２００２−１４３３３３号公報
【０００５】
【発明が解決しようとする課題】
特許文献１に示される水幕防火設備としてのドレンチャー設備は、二重の水幕を形成するものではあるが、その二重の水幕を近接配置した２つのドレンチャーヘッドからの放水により形成するか、あるいは単一のドレンチャーヘッドからの水流を二分することで形成するもので、二重の水幕をわずかな間隔をおいて形成するものに過ぎない。そのため、二重の水幕を形成するために所要放水量が倍増するにも拘わらず、実質的に水幕の厚さがやや厚くなった程度の効果しか得られず、防火性能が大きく向上しないとも考えられる。
【０００６】
そして、いずれにしてもこの種の水幕防火設備を真に有効なものとするためには、防火設備としてのさらなる安全性と信頼性を高める必要があるとされ、それを可能とするより有効な水幕防火設備の開発が進められているのが実情である。
【０００７】
【課題を解決するための手段】
上記事情に鑑み、本発明は、ドレンチャーヘッドから水が幕状に放出されることで形成される水幕による水幕防火設備であって、ドレンチャーヘッドを間隔をおいて二列をなすように配置し、火災時にはそれら二列のドレンチャーヘッドにより二重の水幕を形成してそれら二重の水幕の間に緩衝空間を確保するとともに、その緩衝空間の床面にドレンチャーヘッドからの放出水を集水して貯留する集水部を設けたことを特徴とする。
【０００８】
【発明の実施の形態】
図１は本発明の水幕防火設備を建物の任意の階に設けた場合の一実施形態を示すものである。これは、天井部に間隔をおいて２枚の防火垂れ壁１を設け、それら防火垂れ壁１の下部にそれぞれドレンチャーヘッド２を取り付け、火災時にはそれらドレンチャーヘッド２から幕状に放水することで二重の水幕３Ａ，３Ｂを形成するようにしたものであり、したがって火災時にはそれら二重の水幕３Ａ，３Ｂの間に、前後がそれら水幕３Ａ，３Ｂに覆われることで実質的に周囲より区画された閉鎖状態の緩衝空間４が形成されるようになっている。
【０００９】
そして、その緩衝空間４の床面は周囲の床面よりも僅かに低く形成されることで、そこには浅いピット状の集水部５が設けられており、水幕３Ａ，３Ｂを形成するために放水された水の一部がその集水部５に貯留されるようになっている。
【００１０】
したがって、本実施形態の水幕防火設備にあっては、火災時に二重の水幕３Ａ，３Ｂにより形成される緩衝空間４は、その前後がそれらの水幕３Ａ，３Ｂにより区画されるのみならず、床面も集水部５に貯留された貯留水６により覆われたものとなり、したがってこの緩衝空間４は火災発生空間７に対して安全な空間として確保され、さらに火災発生空間７から見てこの緩衝空間４のさらに向こう側には充分に安全な安全空間８が確保されることになる。
【００１１】
すなわち、本実施形態の水幕防火設備では、図中に矢印で示しているように、まず火災発生空間７と緩衝空間４との間に形成されている１段目の水幕３Ａによる遮炎効果および遮熱効果によって、火災発生空間７から緩衝空間４へ透過あるいは放射される熱量を大きく低減できるものである。そして、緩衝空間４の内部においては、その床面が貯留水６に覆われていることから、その貯留水６による吸熱効果が発揮されて緩衝空間４内の温度はそのような貯留水６がない場合に比較して低温に維持されることになる。さらに、緩衝空間４と安全空間８との間には２段目の水幕３Ｂが形成されているから、その水幕３Ｂを通して安全空間８に透過あるいは放射される熱量はここでさらに大きく低減することになる。
【００１２】
このように、本実施形態の水幕防火設備にあっては、二重の水幕３Ａ，３Ｂおよび貯留水６により三方が囲まれた緩衝空間４を火災発生空間７と安全空間８との間に形成するものであることから、その緩衝空間４による延焼防止効果が確実に得られ、優れた防火性能を発揮し得るものであり、この種の水幕防火設備の安全性と信頼性を充分に確保できるものである。
【００１３】
また、緩衝空間４の床面に集水部５を設けてそこに貯留水６を貯留することから、上記のように貯留水６による防火性能の向上が得られるのみならず、集水部５からオーバーフローした水を回収することとすれば、ドレンチャーヘッド２からの放出水が周囲に無秩序に拡散してしまうことを防止でき、水損被害の軽減を図ることができる利点もある。
【００１４】
また、本実施形態の水幕防火設備は、緩衝空間４を設けるようにドレンチャーヘッド２を二列に配列し、かつ緩衝空間４の床面に集水部５を設けること以外は、基本的に従来のこの種の水幕防火設備やドレンチャー設備と同様の構成のものとできるから、それに比較して何等複雑な機構や制御を必要とするものではないし、さしてコスト増になるものでもない。
【００１５】
なお、緩衝空間４の床面に集水部５を設けることから、そこでは周囲の床面と間に段差が生じることになるので、通常時は緩衝空間４をたとえば通路等の緩衝的な用途として使用する等、段差があっても支障のない平面計画とすることが好ましい。あるいは、必要であれば集水部５にたとえば格子状や簀の子状の床材を装着することにより、集水部５に水を貯留可能としつつその床仕上げレベルを周囲に合わせることも考えられる。
【００１６】
勿論、緩衝空間４の幅（すなわち水幕３Ａ，３Ｂ間の間隔）や、集水部５の深さ、集水部５に貯留するべき貯留水６の水量等は、緩衝空間４を形成するべき位置の本来の用途や平面プラン、想定される火災の状況等を考慮して適宜設定すれば良い。
【００１７】
また、図示例のものでは天井部に防火垂れ壁１を設けてその下部にドレンチャーヘッド２を設けるものとしたが、それに限定されることはなく、防火垂れ壁１を設けることなくドレンチャーヘッド２を天井面に直付けしたり、天井面に溝状の凹部を設けてその内側にドレンチャーヘッド２を取り付ける等の変更は任意であるし、その他、必要に応じて適宜の設計的な変更が可能であることはいうまでもない。
【００１８】
【発明の効果】
本発明は、ドレンチャーヘッドを間隔をおいて二列をなすように配置し、火災時にはそれら二列のドレンチャーヘッドにより二重の水幕を形成してそれら二重の水幕の間に緩衝空間を確保するとともに、その緩衝空間の床面にドレンチャーヘッドからの放出水を集水して貯留する集水部を設けたので、それら二重の水幕と貯留水とにより三方が囲まれて形成される緩衝空間によって確実に延焼防止効果が得られて優れた防火性能を発揮し得るものであり、この種の水幕防火設備の安全性と信頼性を充分に確保することができる。
【図面の簡単な説明】
【図１】本発明の実施形態である水幕防火設備の概要を示す図である。
【符号の説明】
１  防火垂れ壁
２  ドレンチャーヘッド
３Ａ，３Ｂ  水幕
４  緩衝空間
５  集水部
６  貯留水
７  火災発生空間
８  安全空間
【図１】
2004305380.tif 000003